(57)【要約】【課題】  安定性に優れ、普通紙では高発色であり、光沢紙上では高光沢性を有し、インクジェットヘッドからのインクの吐出安定性に優れるインクジェット記録用インクを提供する。【解決手段】  本発明のインクジェット記録用インクは、色材と、水と、酵素処理してなるルチンとを少なくとも含んでなることを特徴とする。また、上記酵素処理してなるルチンが、０．０５重量％以上０．２重量％以下含まれてなることが好ましい。また、本発明のインクは、１，２−アルキレングリコール、アセチレングリコール系界面活性剤および／またはアセチレンアルコール系界面活性剤、ジ（トリ）エチレングリコールモノブチルエ−テルおよび／または（ジ）プロピレングリコールモノブチルエーテルから選ばれる少なくとも一種を含んでなることが好ましい。【選択図】      なし【特許請求の範囲】
【請求項１】
色材と、水と、酵素処理してなるルチンとを少なくとも含んでなるインクジェット記録用インク。
【請求項２】
前記ルチンが、０．０５重量％以上０．２重量％以下含まれてなる請求項１記載のインク。
【請求項３】
１，２−アルキレングリコールを含んでなる請求項１または２に記載のインク。
【請求項４】
アセチレングリコール系界面活性剤および／またはアセチレンアルコール系界面活性剤を含んでなる請求項１〜３のいずれかに記載のインク。
【請求項５】
ジ（トリ）エチレングリコールモノブチルエ−テルおよび／または（ジ）プロピレングリコールモノブチルエーテルを含んでなる請求項１〜４のいずれかに記載のインク。
【発明の詳細な説明】
【技術分野】
【０００１】
本発明は、耐光性に優れ、普通紙では高発色であり、光沢紙上では高光沢性を有し、インクジェットヘッドからのインクの吐出安定性に優れるインクジェット記録用インクに関する。
【背景技術】
【０００２】
インクジェット記録は、微細なノズルからインクを小滴として吐出し、文字や図形を被記録体表面に記録する方法である。インクジェット記録方式としては、電歪素子を用いて電気信号を機械信号に変換し、ノズルヘッド部分に貯えたインクを断続的に吐出して被記録体表面に文字や記号を記録する方法、ノズルヘッド部分に貯えたインクを吐出部分に極近い一部を急速に加熱して泡を発生させ、その泡による体積膨張で断続的に吐出して、被記録体表面に文字や記号を記録する方法などが実用化されている。このようなインクジェット記録に用いられるインクは、被記録体である紙への印字において、にじみがないこと、乾燥性がよいこと、様々な被記録体表面に均一に印字できること、カラー印字等の多色系の印字において隣り合った色が混じり合わないことなどの特性が要求されている。従来のインクにおいて、特に染料を用いたインクの多くは耐光性が悪く、室内での放置においても消色してしまうという課題がある。そこで染料自体の耐光性を向上させる検討がなされている。（特許文献１〜５参照）
【０００３】
また上記のとおり、このような課題を解決する為、色材の改良の検討などが試みられているが、発色性と耐光性を両立することはできていない。また、添加剤で耐光性を向上させる例は少ない。
【０００４】
【特許文献１】特開平１０−１３０５５７号公報
【特許文献２】特開平１０−３２９４０３号公報
【特許文献３】特開平１１−１４０３６７号公報
【特許文献４】特開２００５−１０５２６１号公報
【特許文献５】特開２００５−６６８４５号公報報
【発明の開示】
【発明が解決しようとする課題】
【０００５】
しかしながら、従来の染料系の水性インクは耐光性が不十分であり、またＰＰＣ用紙等の普通紙に印刷するとにじみが多く、色濃度や発色性も不十分だった。通常の水性インクは紙に対するにじみを低減させるため、界面活性剤やグリコールエーテル等の親水部と疎水部を有する物質が必要である。これらの物質を用いないインクでは紙に対する浸透性が不十分となり、均一な印字を行なうためには紙種が制限され、印字画像の低下を引き起こしやすくなるという課題があった。
【０００６】
さらに、従来の顔料分散体に本発明で用いるような添加剤（アセチレングリコール、アセチレンアルコールおよびシリコン系の界面活性剤、ジ（トリ）エチレングリコールモノブチルエーテル、（ジ）プロピレングリコールモノブチルエーテルまたは１，２−アルキレングリコールまたはこれらの混合物）を用いると長期の保存安定性が得られず、インクの再溶解性が悪いためインクが乾燥してインクジェットヘッドのノズルの先等で詰まり易くなるという課題を有していた。
【０００７】
そこで本発明は、このような課題を解決するもので、その目的とするところは、耐光性に優れ、普通紙では高発色であり、光沢紙上では高光沢性を有し、インクジェットヘッドからのインクの吐出安定性に優れるインクジェット記録用インクを提供するところにある。
【課題を解決するための手段】
【０００８】
本発明のインクジェット用インクは、色材と、水と、酵素処理してなるルチンとを少なくとも含んでなることを特徴とする。
【発明を実施するための最良の形態】
【０００９】
本発明は、耐光性に優れ、普通紙では高発色であり、専用紙上では高光沢性を有し、インクジェットヘッドからのインクの吐出安定性に優れることなどの特性が要求されていることに鑑み、鋭意検討した結果によるものである。
【００１０】
本発明のインクジェット記録用インクは、色材と、水と、酵素処理してなるルチンとを少なくとも含んでなることを特徴とする。
【００１１】
上記酵素処理してなるルチンの添加量が０.０５重量％（以下、単に「％」というときは「重量％」を意味するものとする。）以上０．２重量％以下であることが好ましく、色材の重量の１％以上２０％以下であることが好ましい。ルチンは通常水への溶解度が低いため、水性インクに用いてもその添加量が０．０５重量％未満となり、耐光性向上の効果が得られない。そこで、ルチンを酵素処理して親水性を向上させたものを用いることで、添加量を０．０５％以上にすることができ、耐光性向上の効果が得られるようになる。ルチンの水溶性を向上させるための酵素処理としては、ルチンの糖鎖構造を糖の変換酵素によって変換させる方法を用いる。この酵素処理したルチンは酵素処理イソクエルスシトリンであり、簡略的に酵素処理ルチンとしてキリヤ化学などから市販されている。この酵素処理イソクエルスシトリンはクエルセチンの３位にマルト−ス、マルトトリオース、マルトテトラオースなどのオリゴ糖が付加した配糖体混合物からなっている。また、本発明は、１、２−アルキレングリコールを用いることが好ましい。１、２−アルキレングリコールを用いることによって、酵素処理ルチンの添加量を向上させ、耐光性を向上させると同時に、にじみの低減やインクジェットヘッドからの吐出安定性が得られる。また、本発明は、アセチレングリコール系界面活性剤またはアセチレンアルコール系界面活性剤を用いることが好ましいが、これも１、２−アルキレングリコールと同様に酵素処理ルチンの添加量を向上させ、耐光性を向上させると同時に、にじみの低減やインクジェットヘッドからの吐出安定性を向上させる。また、本発明は、１、２−アルキレングリコールとアセチレングリコール系界面活性剤またはアセチレンアルコール系界面活性剤とを併用することがより好ましい。さらに、本発明においては、保湿剤を用いることがヘッドの目詰まり改善の観点から好ましい。
【００１２】
このようにして、上記インクジェット記録用インクを作成することによって、普通紙では高発色であり、専用紙上では高光沢性を有し、インクジェットヘッドからのインクの吐出安定性および耐光性に優れるインクジェットインクとすることができる。
【００１３】
本発明に用いることができる色材は染料および顔料がある。染料としてはインクジェット用として使用可能な一般的な染料やインディゴ、シコニン、ベニバナ色素、ウコン色素、クチナシ色素、アナトー色素などの天然染料を用いることができる。その例としてはカラーインデックスにおいて酸性染料、直接染料、反応染料、建染染料、硫化染料または食品用色素に分類されているものの他に油溶染料、塩基性染料などに分類される着色剤を用いることもできる。染料の種類としては、アゾ染料、フタロシアニン染料、アゾメチン染料、キノン系染料（アントラキノン染料、アントラピリドン染料等）、カルボニウム染料（トリフェニルメタン染料、キサンテン染料、アクリジン染料等）、及びアジン系染料（オキサジン、チアジン等）等が挙げられる。好ましいものはアゾ染料、フタロシアニン染料、アゾメチン染料、及びアントラピリドン染料であり、最も好ましいものは、アゾ染料、フタロシアニン染料である。
【００１４】
また、顔料としては黒色インク用として、ファーネスブラック、ランプブラック、アセチレンブラック、チャンネルブラック等のカーボンブラック（Ｃ．Ｉ．ピグメントブラック７）類、または銅酸化物、鉄酸化物（Ｃ．Ｉ．ピグメントブラック１１）、酸化チタン等の金属類、アニリンブラック（Ｃ．Ｉ．ピグメントブラック１）等の有機顔料が挙げられるがインクジェット用としては比較的密度が低く水中で沈降しにくいカーボンブラックが好ましい。
【００１５】
更にカラーインク用としては、Ｃ．Ｉ．ピグメントイエロー１（ファストイエローＧ）、３、１２（ジスアゾイエローＡＡＡ）、１３、１４、１７、２４、３４、３５、３７、４２（黄色酸化鉄）、５３、５５、７４、８１、８３（ジスアゾイエローＨＲ）、９３、９４、９５、９７、９８、１００、１０１、１０４、１０８、１０９、１１０、１１７、１２０、１２８、１３８、１５３、１８０、Ｃ．Ｉ．ピグメントレッド１、２、３、５、１７、２２（ブリリアントファーストスカーレット）、２３、３１、３８、４８:２（パーマネントレッド２Ｂ（Ｂａ））、４８:２（パーマネントレッド２Ｂ（Ｃａ））、４８:３（パーマネントレッド２Ｂ（Ｓｒ））、４８:４（パーマネントレッド２Ｂ（Ｍｎ））、４９:１、５２:２、５３:１、５７:１（ブリリアントカーミン６Ｂ）、６０:１、６３:１、６３:２、６４:１、８１（ローダミン６Ｇレーキ）、８３、８８、１０１（べんがら）、１０４、１０５、１０６、１０８（カドミウムレッド）、１１２、１１４、１２２（キナクリドンマゼンタ）、１２３、１４６、１４９、１６６、１６８、１７０、１７２、１７７、１７８、１７９、１８５、１９０、１９３、２０２、２０６、２０９、２１９、Ｃ．Ｉ．ピグメントバイオレット１９、２３、Ｃ．Ｉ．ピグメントオレンジ３６、Ｃ．Ｉ．ピグメントブルー１、２、１５（フタロシアニンブルーＲ）、１５:１、１５:２、１５:３（フタロシアニンブルーＧ）、１５:４、１５:６（フタロシアニンブルーＥ）、１６、１７:１、５６、６０、６３、Ｃ．Ｉ．ピグメントグリーン１、４、７、８、１０、１７、１８、３６等が使用できる。
【００１６】
上記色材の添加量は、０．５〜３０％が好ましいが、１．０〜１５％がより好ましい。これ以下の添加量では、印字濃度が確保できなくなり、またこれ以上の添加量では、インクの粘度増加や粘度特性に構造粘性が生じ、インクジェットヘッドからのインクの吐出安定性が悪くなる傾向になる。
【００１７】
また、本発明のインクジェット記録用インクのビヒクル成分としては、界面活性剤、有機溶剤および保湿剤などを用いる。表面張力を２０ｍＮ／ｍ以上４０ｍＮ／ｍ以下の範囲がインクジェトで印字するドット径を最適な幅に広げるという観点から少なくとも界面活性剤を添加してなることが好ましい。
【００１８】
その界面活性剤がアセチレンアルコール系界面活性剤、アセチレングリコール系界面活性剤およびシリコン系界面活性剤から選ばれた1種以上であることがさらに好ましい。これらの界面活性剤を用いることで普通紙上のにじみが特に低減され、専用紙上でのドット径を最適な幅に広げることが可能となる。
【００１９】
また、本発明のインクジェット用顔料インクの表面張力を２０ｍＮ／ｍ以上４０ｍＮ／ｍ以下の範囲にするため少なくともアルキレングリコールモノアルキルエーテルおよび／または１，２−アルキレングリコールを添加してなることが好ましい。そのアルキレングリコールモノアルキルエーテルが繰り返し単位１０以下のアルキレングリコールであって、且つ炭素数４〜１０のアルキルエーテルであることが好ましい。また、前述のアルキレングリコールモノアルキルエーテルがジ（トリ）エチレングリコールモノブチルエ−テルおよび／または（ジ）プロピレングリコールモノブチルエーテルであることが好ましい。
【００２０】
また、前述の１，２−アルキレングリコールが、１，２−ヘキサンジオールおよび／または１，２−ペンタンジオールであることが好ましい。これらの添加により印字の乾燥性が向上し、連続して印刷しても前の印字部分が次の媒体の裏面に転写されることがなくなるため、高速印字が可能となる。
【００２１】
前述のアセチレングリコール系界面活性剤またはアセチレンアルコール系界面活性剤の添加量が０．１％以上５％以下であることが好ましい。
【００２２】
また、本発明においては、前述のアセチレングリコール系界面活性剤またはアセチレンアルコール系界面活性剤と、ジ（トリ）エチレングリコールモノブチルエーテル、（ジ）プロピレングリコールモノブチルエーテルまたは１，２−アルキレングリコールから選ばれた１種以上と、を含むことが好ましい。前述のアセチレングリコール系界面活性剤またはアセチレンアルコール系界面活性剤の添加量が０．０１％〜０．５％であり、ジ（トリ）エチレングリコールモノブチルエーテル、（ジ）プロピレングリコールモノブチルエーテルまたは１，２−アルキレングリコールから選ばれた１種以上の添加量が１％以上であることが好ましい。また、アセチレングリコール系界面活性剤またはアセチレンアルコール系界面活性剤の換わりにシリコン系界面活性剤を用いることもできる。
【００２３】
さらに、本発明のインクジェット用顔料インクとしては、その放置安定性の確保、インクジェットヘッドからの安定吐出のため、目詰まり改善のためあるいはインクの劣化防止のためなどの目的で保湿剤、溶解助剤、浸透制御剤、粘度調整剤、ｐＨ調整剤、溶解助剤、酸化防止剤、防腐剤、防黴剤、腐食防止剤、分散に影響を与える金属イオンを捕獲するためのキレート等種々の添加剤を添加することもできる。
【００２４】
以下、本発明をさらに具体的な実施の形態を基に説明するが、本発明はかかる実施例のみに限定されない。
【実施例１】
【００２５】
（１）染料インク１の製造
染料インク１は、ブラック染料であるダイレクトブラック１９を用いる。本発明のインクジェット記録用インクの調製は上記の染料を用い、表２に示すビヒクル成分と混合することによって作成した。尚、表２中の残量の水の中にはインクの腐食防止のためトップサイド２４０（パーマケムアジア社製）を０．０５％、インクジェットヘッド部材の腐食防止のためベンゾトリアゾールを０．０２％、インク系中の金属イオンの影響を低減するためにＥＤＴＡ（エチレンジアミン四酢酸）・２Ｎａ塩を０．０４％それぞれイオン交換水に添加したものを用いた。
【００２６】
（２）染料インク２の製造
染料インク２は、シアン染料であるダイレクトブルー１９９を用いる。インク組成は表２に示すようになる。
【００２７】
（３）染料インク３の製造
染料インク３は、マゼンタ染料であるダイレクトレッド９を用いる。インク組成は表２に示すようになる。
【００２８】
（４）染料インク４の製造
染料インク４は、イエロー染料であるダイレクトイエロー８６を用いる。インク組成は表２に示すようになる。
【００２９】
染料インク１〜４において用いた酵素処理してなるルチンは、キリヤ化学製ルチン−Ｋ２を用いた。
【実施例２】
【００３０】
（１）顔料インク１の製造
顔料インク１の製造はイエロー顔料であるピグメントイエロー７４を用いる。インク組成は表２に示すようになる。
【００３１】
（参考例１）
参考例１として染料インク１〜４および顔料インク１に添加されているルチンの添加量を変えたインクを用いる。インク組成は表３に示すようになる。
【００３２】
（比較例２）
参考例２として染料インク１〜４および顔料インク１に添加されている１、２−アルキレングリコールの添加量を変えたインクを用いる。インク組成は表４に示すようになる。
【００３３】
（比較例３）
参考例３として染料インク１〜４および顔料インク１に添加されているアセチレングリコール系界面活性剤またはアセチレンアルコール系界面活性剤の添加量を変えたインクを用いる。インク組成は表５に示すようになる。
【００３４】
（参考例４）
比較例４として染料インク１〜４および顔料インク１に添加されている保湿剤の添加量を変えたインクを用いる。インク組成は表６に示すようになる。
【００３５】
（耐光性試験）
耐光性試験はスガ試験機製キセノンウエザーメーターＸＬ７５Ｓを用いて、２Ｍｌｕｘ・ｈの照射を行なって比較した。セイコーエプソン株式会社製ＰＭＧ８００を用い、各インクを用いて印刷してＯＤの低下率（％）を測定することによって行なった。結果を表１に示す。
【００３６】
（安定性の評価）
各インクジェット用インクを６０℃で３０日放置したときの粘度変化率（％）を表１に示す。分散安定性は各水性インクを６０℃で３０日放置したときの粘度変化率（％）として示す。粘度変化はドイツ国アントンパール製ＡＭＶｎにより角度６０°において測定して、１−（３０日後の値）／（初期の値）の１００分率（％）として示す。結果を表１に示す。
【００３７】
（吐出安定性の測定）
インクジェットプリンターとしてセイコーエプソン株式会社製ＰＭＧ８００を用いて、３５℃３５％雰囲気で富士ゼロックス社製ＸｅｒｏｘＰ紙Ａ４判にマイクロソフトワードで文字サイズ１１の標準、ＭＳＰゴシックで４０００字／ページの割合で１００ページ印刷して評価した。全く印字乱れがないものをＡＡ、１箇所印字乱れがあるものをＡ、２〜３箇所印字乱れがあるものをＢ、４〜５箇所印字乱れがあるものをＣ、６箇所以上印字乱れがあるものをＤとした。結果を表１に示す。
【００３８】
【表１】
2007070510.tif 000002
【００３９】
【表２】
2007070510.tif 000003
【００４０】
【表３】
2007070510.tif 000004
【００４１】
【表４】
2007070510.tif 000005
【００４２】
【表５】
2007070510.tif 000006
【００４３】
【表６】
2007070510.tif 000007